(57)【要約】【課題】液晶表示ユニット等の組立性を向上させることを目的とするものである。【解決手段】回路基板１０に固定され、ＬＣＤ素子２０をその端子２４が端子孔１４にそれぞれ挿入される状態で当該回路基板１０上に保持する表示素子用ホルダ４０。このホルダ４０は、ＬＣＤ素子２０の素子本体２２を保持する係止爪５１等の素子保持部と、これよりも回路基板１０側に位置し、ＬＣＤ素子２０の各端子２４を端子孔１４に案内するための端子案内部５２とを備えている。この端子案内部５２は、各端子２４をそれらの配列を維持しつつ回路基板１０側に貫通させることが可能な孔径を有しかつ入口側に端子２４の誘い込み部を備える複数のガイド孔と、これらガイド孔よりも素子保持部側に位置し、各端子２４をガイド孔に案内するガイド溝とを有する。【選択図】図２
2011186103.tif 000002
【特許請求の範囲】
【請求項１】
基板に固定され、表示面を有する素子本体及びこの素子本体から前記表示面とは反対側に互いに平行に延びる複数の端子を備えた表示素子を前記端子がそれぞれ前記基板の端子孔に挿入された状態で当該基板上に保持する表示素子用ホルダであって、
前記各端子が前記端子孔に挿入される位置で前記素子本体を保持する素子保持部と、この素子保持部よりも前記基板側に位置し、前記端子孔に対して前記端子を案内するための端子案内部とを備えており、
この端子案内部は、各端子をそれらの配列を維持しつつ前記基板側に貫通させることが可能となるように当該端子が挿入可能な孔径を有する複数のガイド孔と、これらガイド孔よりも前記素子保持部側の位置で前記ガイド孔の並び方向に互いに平行に並び、前記各端子をそれぞれ前記ガイド孔に案内することが可能な複数のガイド壁部とを有し、
前記各ガイド孔の前記素子保持部側の端部は、基板側から前記素子保持部側に向かって孔径が拡大する形状の端子の誘い込み部を有し、
前記各ガイド壁部は、前記端子をそれらの並び方向両側から拘束する側壁部とこれら側壁部の間で前記端子を前記ガイド孔の並び方向と直交する方向の一方側から支持する底壁部とを有してこの底壁部と反対の側に開放された形状を有し、その開放側から前記端子がその軸方向と直交する方向に各側壁部同士の間に挿入可能であり、かつその挿入された端子を前記ガイド孔に案内可能な形状を有していることを特徴とする表示素子用ホルダ。
【請求項２】
請求項１に記載の表示素子用ホルダにおいて、
前記側壁部および底壁部の壁面と前記ガイド孔の内周面とが連続したものであることを特徴とする表示素子用ホルダ。
【請求項３】
請求項１又は２に記載の表示素子用ホルダにおいて、
前記各ガイド壁部は、前記両側壁部の壁面同士の間隔がそれらの先端側から底壁部側に向かって縮小するように形成されていることを特徴とする表示素子用ホルダ。
【請求項４】
請求項１乃至３の何れか一項に記載の表示素子用ホルダにおいて、
前記各ガイド壁部の底壁部は、前記ガイド孔の側よりも前記素子保持部の側が前記ガイド孔の中心軸から離れるように前記ガイド孔の側から前記素子保持部の側に向かって傾斜することを特徴とする表示素子用ホルダ。
【請求項５】
請求項１乃至４の何れか一項に記載の表示素子用ホルダにおいて、
前記各ガイド孔の前記素子保持部側の端部は、各ガイド孔の並び方向と直交する方向にのみ孔径が拡大することを特徴とする表示素子用ホルダ。
【発明の詳細な説明】
【技術分野】
【０００１】
本発明は、プリント基板上に実装されるＬＣＤ（Liquid Crystal Display）やＶＦＤ（Vacuum Fluorescent Display）などの表示素子を保持するための表示素子ホルダに関するものである。
【背景技術】
【０００２】
従来から、プリント基板上にＬＣＤ素子を実装した液晶表示ユニットが知られており、例えばＬＣＤ素子とプリント基板（以下、基板と略す）との間に発光体を設け、ＬＣＤに対してその背面側から投光を行うことにより視認性を高めたいわゆるバックライト方式のものは多くの電気機器で実用されている。この液晶表示ユニットでは、基板上に表示素子用ホルダ（ランプハウスとも呼ばれる）が固定され、このホルダにＬＣＤ素子が保持された状態で基板上に実装されることにより当該ＬＣＤ素子の素子本体部分と基板との間にスペースが設けられ、このスペースに前記発光体が配置されている。
【０００３】
ところで、液晶表示ユニットの組立時には、ＬＣＤ素子の各端子を基板上の端子孔（スルーホール）に挿入しながら当該基板にＬＣＤ素子を組付ける必要があるが、近年、ＬＣＤの表示内容の多様化、複雑化に伴い端子数の増加、狭ピッチ化が顕著であり、端子の挿入作業が困難化する傾向にある。特に、上記のようなバックライト方式の表示ユニットに用いられるＬＣＤ素子は、その素子本体部を基板から離れた位置に保持する必要があるために端子長が長い。従って、端子に変形が生じ易く、この変形により端子の配列が乱れて端子挿入作業に支障が出るケースがある。
【０００４】
特許文献１には、このような不都合を解消する上で有効な表示素子用ホルダが開示されている。この文献１に開示されるホルダは、ＬＣＤ素子としてその表示面を挟んだ二辺に沿ってそれぞれ複数本の端子が配列されたものを基板上で保持するものである。このホルダは、その側面に端子配列に対応した一定のピッチで並ぶ複数の案内突起を有しており、ＬＣＤ素子をその端子がそれぞれ案内突起間に位置するように配置した上で当該ＬＥＤ素子を基板側に近づけながら保持させることにより、各端子をそれぞれ案内突起により端子孔に案内するようになっている。
【先行技術文献】
【特許文献】
【０００５】
【特許文献１】実公平６−２２８２１号公報
【発明の概要】
【発明が解決しようとする課題】
【０００６】
特許文献１の表示器用ホルダによれば、各端子をそれらの並び方向に位置決めしながら端子孔に導くことができる。しかし、各端子は、それらの並び方向と直交する方向へはほぼフリーであり、そのため隣接する端子が互いに端子配列方向と直交する方向にずれているような場合には端子孔への端子の挿入に支障が出る。従って、ＬＣＤ素子の端子挿入作業をより円滑に行えるようにする上では、この点に改善の余地がある。
【０００７】
本発明は、このような事情に鑑みて成されたものであり、ＬＣＤ素子等の表示素子が表示素子用ホルダにより保持された状態で基板上に実装される表示ユニットの組立性を向上させることを目的とするものである。
【課題を解決するための手段】
【０００８】
上記課題を解決するための手段として、表示素子用ホルダにガイド孔を設け、各端子をガイド孔に通すことにより端子並び方向のみならずこの方向と直交する方向についても各端子を位置決めしながら基板上の端子孔に導くようにし、この場合に、各ガイド孔への端子の挿入を円滑に行えるように各ガイド孔に端子の誘い込み部、つまりガイド孔の端部に孔径が外側に向かって拡大する部分を設けることが考えられる。
【０００９】
しかし、端子配列が狭ピッチ化された表示素子を保持するものでは、ガイド孔も狭ピッチ化する必要があるために各端子を円滑にガイド孔内に誘い込むような十分な誘い込み部を確保することが困難であり、ガイド孔への端子の挿入作業に支障がでるおそれがある。このような問題は、以下のような本発明にかかる表示素子用ホルダにより解決される。すなわち、本発明に係る表示素子用ホルダは、基板に固定され、表示面を有する素子本体及びこの素子本体から前記表示面とは反対側に互いに平行に延びる複数の端子を備えた表示素子を前記端子がそれぞれ前記基板の端子孔に挿入された状態で当該基板上に保持する表示素子用ホルダであって、前記各端子が前記端子孔に挿入される位置で前記素子本体を保持する素子保持部と、この素子保持部よりも前記基板側に位置し、前記端子孔に対して前記端子を案内するための端子案内部とを備えており、この端子案内部は、各端子をそれらの配列を維持しつつ前記基板側に貫通させることが可能となるように当該端子が挿入可能な孔径を有する複数のガイド孔と、これらガイド孔よりも前記素子保持部側の位置で前記ガイド孔の並び方向に互いに平行に並び、前記各端子をそれぞれ前記ガイド孔に案内することが可能な複数のガイド壁部とを有し、前記各ガイド孔の前記素子保持部側の端部は、基板側から前記素子保持部側に向かって孔径が拡大する形状の端子の誘い込み部を有し、前記各ガイド壁部は、前記端子をそれらの並び方向両側から拘束する側壁部とこれら側壁部の間で前記端子を前記ガイド孔の並び方向と直交する方向の一方側から支持する底壁部とを有してこの底壁部と反対の側に開放された形状を有し、その開放側から前記端子がその軸方向と直交する方向に各側壁部同士の間に挿入可能であり、かつその挿入された端子を前記ガイド孔に案内可能な形状を有しているものである。
【００１０】
この表示素子用ホルダによれば、表示素子の各端子を端子案内部のガイド孔に挿入することにより各端子を端子並び方向及びこれと直交する方向の両方向に位置決めしながら基板の端子孔に導くことが可能となる。しかも、ガイド孔の手前側（素子保持部側）に各端子をそれぞれ端子並び方向の両側を含む三方から囲みながら前記ガイド孔に案内することが可能なガイド壁部が設けられており、各端子を予め各ガイド壁部に挿入した上でこれらガイド壁部に沿って案内しながら各ガイド孔に挿入することができる構造となっているので、ガイド孔にそれほど大きいな誘い込み部を設けることなく各端子を各ガイド孔に円滑に挿入することが可能となる。
【００１１】
この表示素子用ホルダにおいては、前記側壁部および底壁部の壁面と前記ガイド孔の内周面とが連続したものであるのが好適である。この構成によれば、表示素子の各端子をガイド壁部からガイド孔まで連続した壁面に沿って案内することができるため各端子をより円滑にガイド孔に挿入することが可能となる。
【００１２】
また、この表示素子用ホルダにおいて、前記各ガイド壁部は、前記両側壁部の壁面同士の間隔がそれらの先端側から底壁部側に向かって縮小するように形成されているのが好適である。この構成によれば、各ガイド壁部への端子の挿入を容易に行うことを可能としながら、ガイド孔への端子の案内時には、各端子をそれらの並び方向に適切に位置決めしつつガイド孔に案内することが可能となる。
【００１３】
また、前記各ガイド壁部の底壁部は、前記ガイド孔の側よりも前記素子保持部の側が前記ガイド孔の中心軸から離れるように前記ガイド孔の側から前記素子保持部の側に向かって傾斜するものであるのが好適である。この構成によれば各ガイド壁部の底壁部やガイド孔が見易くなり、各端子をより円滑にガイド孔に挿入することが可能となる。
【００１４】
また、この表示素子用ホルダにおいて、前記各ガイド孔の前記素子保持部側の端部は、各ガイド孔の並び方向と直交する方向にのみ孔径が拡大するものであるのが好適である。要するに、誘い込み部を各ガイド孔の並び方向と直交する方向にのみ端子を誘い込む構造としたものである。この構成によれば、各ガイド孔の狭ピッチ化により対応し易い構造となる。
【発明の効果】
【００１５】
以上説明したように、本発明の表示素子用ホルダによれば、表示素子の各端子をそれらの並び方向のみならずこれと直交する方向にも位置決めしながら基板上の端子孔に導くことができる。従って、表示素子が表示素子用ホルダにより保持された状態で基板上に実装される表示ユニットの組立てに関し、特に、基板上の端子孔への端子挿入作業をより円滑に、かつ適切に行うことが可能となり、その結果、当該表示ユニットの組立作業性が向上する。
【図面の簡単な説明】
【００１６】
【図１】本発明に係る表示素子用ホルダが適用された表示ユニットを示す分解斜視図である。
【図２】表示ユニットを示す分解斜視図（プリント基板上に表示素子用ホルダのみを固定した状態）である。
【図３】図１の表示素子用ホルダを示す拡大斜視図である。
【図４】図３の表示素子用ホルダの要部を示す拡大斜視図である。
【図５】端子案内部の断面略図である。
【発明を実施するための形態】
【００１７】
以下、添付図面を参照しながら本発明の好ましい実施の一形態について詳述する。
【００１８】
図１、図２は、本発明にかかる表示素子用ホルダが適用される液晶表示ユニットを示しており、図１は分解斜視図で、図２は断面図（一部分解した状態の断面図）でそれぞれ液晶表示ユニットを示している。この液晶表示ユニットは、車両に搭載されるエアコン操作装置に組み込まれるもので、当該エアコン操作装置の操作に応じてエアコンの運転モード、車室内外の温度、時刻などの表示を行うものである。
【００１９】
この液晶表示ユニットは、所謂バックライト方式のユニットであり、回路基板１０と、運転モード等を表示するＬＣＤ（Liquid Crystal Display）素子２０と、光源からＬＣＤ素子２０への投光を拡散させる拡散板３０と、ＬＣＤ素子２０および拡散板３０を基板上に保持するための表示素子用ホルダ４０とを備える。
【００２０】
回路基板１０は、長方形状をなし、図示を省略しているが、その表面には前記エアコン操作装置の操作ボタンにそれぞれ連動して接点切換を行うスイッチ素子等が実装されている。回路基板１０の長手方向中央部は、ＬＣＤ素子２０の組付領域（図１中二点鎖線で示す部分）とされ、この部位に表示素子用ホルダ４０に保持された状態でＬＤＣ素子２０が実装される。この領域には、光源となる複数のＬＥＤ素子１２が実装されている。図示の例では、９個のＬＥＤ素子１２が基板の長手方向（同図では左右方向）に一定間隔で一列に配列された状態でそれぞれ回路基板１０に実装されている。
【００２１】
ＬＣＤ素子２０は、回路基板１０と同方向に細長い長方形状の表示面２２ａを有する板状の素子本体２２と、この素子本体２２の長手方向中央部に設けられる複数の端子２４とを備える。各端子２４は、前記表示面２２ａとは反対側に向かって当該表示面２２ａとほぼ直交する方向に延び、かつ素子本体２２の一辺に沿って互いに平行に並んでいる。
【００２２】
前記回路基板１０には、前記端子２４と同数の複数の端子孔１４（スルーホール）が長手方向に一列に並んだ状態で形成されており、これら端子孔１４に前記各端子２４がそれぞれ挿入されかつ基板上回路に半田付けされることにより前記ＬＣＤ素子２０が当該回路基板１０に実装される。
【００２３】
拡散板３０は、上記ＬＥＤ素子１２から投光される光を拡散させるもので、当例では、回路基板１０と同方向に細長い長方形の板状をなし、例えば乳白色のアクリルやポリカーボネート等の材料から形成されている。この拡散板３０は、ＬＣＤ素子２０の前記表示面２２ａとほぼ同等の大きさを有しており、前記素子本体２２の裏側（表示面２２ａとは反対側）に重ねられる。
【００２４】
前記表示素子用ホルダ４０（以下、ホルダ４０と略す）は、ＬＣＤ素子２０の前記素子本体２２と拡散板３０とを、これらと回路基板１０との間に一定間隔を隔てた状態で当該回路基板１０上に保持するものである。
【００２５】
このホルダ４０は、全体が樹脂材料により形成されており、回路基板１０と同方向に細長い直方体状をなし、その内側には長手方向と直交する方向（以下、前後方向という）に向かって開口しかつ長手方向に延びる細長い凹部４２を有する。
【００２６】
ホルダ４０のうち前記凹部４２が開口する側（以下、前側とする）とは反対側（以下、後側とする）の端面は回路基板１０への固定部とされ、当該端面の四隅には係止爪４４が形成されている。他方、前記回路基板１０には、これら係止爪４４に対応する係止孔１６が形成されており、前記各係止爪４４がそれぞれ係止孔１６に挿入されて前記回路基板１０に裏側から係合することによりホルダ４０が当該回路基板１０に固定される。
【００２７】
図２、図３に示すように、前記凹部４２の内底部には、その長手方向に一定の間隔で前後方向に貫通する複数の開口４２ａが形成されている。これらの開口４２ａは回路基板１０の前記ＬＥＤ素子１２の配置に対応して形成されており、従って、上記のようにホルダ４０が回路基板１０に固定された状態では、各ＬＥＤ素子１２がそれぞれ開口４２ａに挿入されて前記凹部４２の内側に臨む。
【００２８】
ホルダ４０の前端部は、ＬＣＤ素子２０の素子本体２２をその各端子２４が前記端子孔１４に挿入される位置で拡散板３０とともに保持する素子保持部とされ、ここには、拡散板３０を後側から支持する拡散板支持部４６と、拡散板３０よりも前側の位置でＬＣＤ素子２０の素子本体２２をその後側から支持する素子支持部４８と、素子本体２２の外周面に嵌合する複数の周壁部５０と、素子本体２２を前側から係止する一対の係止爪５１とが設けられている。なお、図示を省略しているが、拡散板支持部４６には、拡散板３０をその長手方向及びこれと直交する方向に位置決めするための複数のリブが設けられている。
【００２９】
ホルダ４０の側面部分（図１、図２では上面部分）であってその長手方向の中間部分には、当該ユニットの組立時に、ＬＣＤ素子２０の各端子２４を回路基板１０の端子孔１４に導くための端子案内部５２が設けられている。
【００３０】
この端子案内部５２には、ＬＣＤ素子２０の前記端子２４と同数のガイド孔５４がホルダ４０の長手方向に一列に並んだ状態で形成されている。これらのガイド孔５４は、図２〜図４に示すように、ＬＣＤ素子２０の前記各端子２４をそれらの配列を維持しつつ回路基板１０側に貫通させることが可能となるように当該端子２４が挿入可能な孔径を有する前後方向（回路基板１０の法線方向）に貫通する貫通孔からなり、ホルダ４０が回路基板１０に固定された状態において、それぞれ回路基板１０の前記各端子孔１４とそれぞれ一致するように設けられている。これにより各端子２４をホルダ前側からガイド孔５４にそれぞれ挿入すると、各端子２４がそれぞれ対応する端子孔１４に案内される。なお、各ガイド孔５４は断面形状が矩形で、その出口側（後側）の孔径（縦横の寸法）が回路基板１０の端子孔１４の孔径とほぼ同じかそれより若干大きい寸法とされている。
【００３１】
各ガイド孔５４の入口側（前側）端部には、端子２４を誘い込むための誘い込み部５４ａ（テーパ部）が形成されている。この誘い込み部５４ａは、ガイド孔５４の孔径が後側から前側に向かって拡大する形状とされたものであり、当例では、ガイド孔５４の並び方向と直交する方向（図２では上下方向；以下、この方向を上下方向という）にのみ孔径が拡大する形状とされている。つまり、誘い込み部５４ａは、上下方向にのみ端子２４を誘い込む形状である。
【００３２】
また、端子案内部５２には、さらに前記ガイド孔５４よりも前側の位置にＬＣＤ素子２０の各端子２４をそれぞれ前記各ガイド孔５４に案内するための複数のガイド溝５８が設けられている。これらのガイド溝５８は、図４及び図５に示すように、前後方向に互いに平行に延び、端子２４をそれらの並び方向両側から拘束する側壁部５８ａとこれら側壁部５８ａの間で前記端子２４をガイド孔５４の並び方向と直交する方向の一方側（下側）から支持する底壁部５８ｂとを有してこの底壁部５８ｂと反対の側（上側）に開放された形状を有し、上側から端子２４がその軸方向と直交する方向に各側壁部５８ａ同士の間に挿入可能であり、かつその挿入された端子２４をガイド孔５４に案内可能な形状を有している。すなわち、当例では、各ガイド溝５８の側壁部５８ａ及び底壁部５８ｂが本発明のガイド壁部に相当する。
【００３３】
なお、各ガイド溝５８の側壁部５８ａの壁面同士の間隔はそれらの先端側から底壁部５８ｂ側に向かって縮小するように形成されている。また、ガイド溝５８の側壁部５８ａおよび底壁部５８ｂの壁面とガイド孔５４の内周面とは連続したものとなっており、特に、各ガイド溝５８の内底面（底壁部５８ｂ）は、図２に示すように、後側から前側に向かって先下がりに（後側よりも前側がガイド孔５４の中心軸から離れるように）傾斜する傾斜面となっている。
【００３４】
前記ＬＣＤ素子２０および拡散板３０は、以下のようにしてホルダ４０に保持されている。まず、拡散板３０が図外のリブにより位置きめされた状態で拡散板支持部４６上に支持される。次に、この拡散板３０の前側からＬＣＤ素子２０の素子本体２２が前記周壁部５０の内側に嵌入されて拡散板３０に素子本体２２が重ねられ、素子本体２２に対して前側から係止爪５１が係合することによりホルダ４０に対して素子本体２２が係止されている。これによりＬＣＤ素子２０および拡散板３０が互いに重ねられた状態で前記ホルダ４０により一体に保持されている。
【００３５】
なお、このようにＬＣＤ素子２０をホルダ４０に保持させる際には、ＬＣＤ素子２０の各端子２４を回路基板１０の各端子孔１４に挿入するが、その場合には、まずＬＣＤ素子２０の各端子２４をそれぞれ端子案内部５２においてガイド孔５４の前側で各ガイド溝５８に上側から挿入し、この状態で各端子２４をガイド溝５８に沿わせながらそれぞれガイド孔５４に挿入する。このようにすると各端子２４がガイド孔５４を通じて回路基板１０の各端子孔１４にそれぞれ挿入される。そして、各端子２４が回路基板１０の基板上回路に半田付けされることにより当該ＬＣＤ素子２０が回路基板１０に実装される。
【００３６】
以上のような本発明のホルダ４０によれば、ガイド孔５４を有する端子案内部５２が設けられており、当該ユニットの組立時には、ＬＣＤ素子２０の各端子２４をそれぞれガイド孔５４に挿入しつつ回路基板１０の端子孔１４に導くように構成されているので、各端子２４をそれらの並び方向及びこれと直交する方向の両方向に位置決めしながら端子孔１４に導くことができる。従って、各端子がそれらの配列方向にのみ位置決めされ、これと直交する方向にはほぼフリーな状態で端子孔に案内される従来のホルダと比較すると、各端子２４をより確実に端子孔１４に導いて挿入することが可能であり、これにより液晶表示ユニットの組立性を向上させることができる。
【００３７】
しかも、このホルダ４０では、各ガイド孔５４には端子２４を上下方向（ガイド孔５４の並び方向と直交する方向）に誘い込むための誘い込み部５４ａのみが設けられており、ガイド孔５４の並び方向に端子２４を誘い込むための誘い込み部については、これが省略され、代わりに各ガイド孔５４の手前側（素子保持部側）にガイド溝５８が設けられ、これにより各端子２４をそれらの並び方向両側から拘束しつつガイド孔５４に案内するように構成されている。従って、各端子２４を円滑にガイド孔５４に挿入することができる一方で、ガイド孔５４の並び方向に端子２４を誘い込むための誘い込み部が無い分、各ガイド孔５４を狭ピッチ化することができる。つまり、各ガイド孔５４に対する端子２４の挿入操作性を確保しながら、その一方で、ＬＣＤ素子２０の端子配列の狭ピッチ化の要請にも対応できるという利点がある。
【００３８】
特に、端子案内部５２のガイド溝５８については、上記の通り側壁部５８ａの壁面同士の間隔がそれらの先端側から底壁部５８ｂ側に向かって縮小する形状とされているので、各ガイド溝５８への端子２４の挿入を容易に行うことを可能としながらも、ガイド孔５４への端子２４の案内時には、各端子２４をそれらの並び方向に適切に位置決めしつつガイド孔５４に案内することが可能であり、さらに、ガイド溝５８の側壁部５８ａ及び底壁部５８ｂの壁面とガイド孔５４の内周面とが連続しているため、ガイド溝５８に沿って各端子２４を円滑にガイド孔５４内に案内することができる。また、端子案内部５２の各ガイド溝５８の内底面（底壁部５８ｂ）が先下がりの傾斜面となっているので、各ガイド溝５８の内底面や各ガイド孔５４が見易く、各ガイド溝５８への端子２４の挿入や各ガイド孔５４への各端子２４の挿入を行い易い。従って、上記のような端子孔１４への端子挿入作業についてはこれを非常に円滑に行うことができる。
【００３９】
なお、上述した液晶表示ユニットは、本発明にかかる表示素子用ホルダが適用された表示ユニットの実施形態の例示であって、表示素子用ホルダの具体的な構成や液晶表示ユニットの具体的な構成は本発明の要旨を逸脱しない範囲で適宜変更可能である。
【００４０】
例えば、この実施形態の表示素子用ホルダ４０では、上記の通り、各ガイド孔５４にはその並び方向と直交する方向にのみ端子２４を誘い込むための誘い込み部が設けられているが、勿論、端子２４の配列ピッチとの関係で許容される場合には、端子２４の並び方向に同端子２４を誘い込むための誘い込み部を設けるようにしても構わない。
【００４１】
また、実施形態では、本発明の適用例としてＬＣＤ素子を保持するための表示素子用ホルダについて説明したが、ＶＦＤ（Vacuum Fluorescent Display）等のその他の表示素子を基板上に保持するものとしても本発明の表示素子用ホルダは適用可能である。
【符号の説明】
【００４２】
１０  回路基板
１４  端子孔
２０  ＬＣＤ素子
２２  素子本体
２４  端子
３０  拡散板
４０  表示素子用ホルダ
５２  端子案内部
５４  ガイド孔
５８  ガイド溝
５８ａ  側壁部
５８ｂ  底壁部
【図１】
2011186103.tif 000003
【図２】
2011186103.tif 000004
【図３】
2011186103.tif 000005
【図４】
2011186103.tif 000006
【図５】
2011186103.tif 000007